(57)【要約】【課題】  従来の、農業用アーチ型ハウスは、約８０ｃｍの間隔でアーチ棒を地面につきさし上面をビニールシーにて覆って構成されている、しかし、アーチ棒とビニールシートを洗濯バサミなどで止めているため、強風など、とくに風雪の多い地域には問題点が有していた、また、ハウスの中の空気の入れ替え、および、水やりなどのも手間がかかっていた。【解決手段】  アーチ型ハウス棒の中心に、ワイヤーの通し穴を設け、アーチ棒とビニルシートを、マジックテープで固定することを特徴としたもので、シートの開閉はワイヤーレールの上を滑らせていく、アコーデォン式のようで簡単であり、また、強風、雪の季節は、野菜の安全には、とくにたのもしい、楽々畝ハウスであることを目的とする。【選択図】図１
2016198079.tif 000002
【特許請求の範囲】
【請求項１】
アーチ棒（１）に凸部（２）を設け、凸部（２）にワイヤー通し穴を設け、アーチ棒の頂点と側面凸部（２）にマジックテープ凸をはりつけ、アーチ用、ビニールシート（７）を約８０ｃｍの間隔でマジックテープ凹（５）に張り付け、アーチ棒凸部（２）と合体しワイヤーロープにそってアコーデォン式に引っ張って行く事を特徴とする楽々ハウス。
【発明の詳細な説明】
【技術の分野】
【０００１】  本発明は農業用畝ビニールハウスを雨にも負けず、風雪にも負けない、かつ、簡単に楽々ハウスを設置できる楽々畝ハウスに関するものである。
【背景の技術】
【０００２】  従来、ハウスの設置は、アーチ棒を１本１本、地中に差し込み施工しビニールシートを被せて雨、および、風雪によって飛ばされない様に洗濯バサミ等で固定されていた。
【先行技術文献】
【特許文献】
【０００３】
【特許文献１】  特開２０１２−２００２５３号公報
【発明の概要】
【発明が解決しようとする課題】
【０００４】  これは次のような問題点があった。
（イ）１畝約８０ｍ以上の場合、ハウスの設定に長時間要する。
（ロ）ハウスの中の空気入れ替え、水やりなど容易でない。
（ハ）数多くの洗濯バサミを要し、また、風によってシートが飛ばされる。
（ニ）降雪地では、ハウスがもたなく野菜等の収量が著しく落ちる。
（ホ）従来のハウスはビニールがたるみ、仕上がりが見た目に良くない。
本発明は以上のような問題点を解決するためのものである。
【課題を解決するための手段】
【０００５】  畝ハウス棒（１）の頂点に、ワイヤー通し穴（３）を設け、ピーン張ったワイヤーロープ（６）をワイヤー通し穴（３）に通すもので、マジックテープ（登録商標）を設けるための凸部（２）は、アーチの頂点と側面にマジックテープ凸（４）を設置したもので、ビニールシート（７）の頂点と左右の約８０ｃｍの間隔にマジックテープ凹（５）を設置しアーチ棒とビニールハウスを合体、固定することを特徴にした楽々畝ハウスである。
【発明の効果】
【０００６】（イ）短時間でハウスの設置作業ができる。
（ロ）アコーディオン式、ようにビニールシートの開閉が簡単にできる。
（ハ）強風に揺れても破損しづらい、とくに降雪地では雪の重荷に耐え、ハウスの安定が    可能になる。
（ニ）洗濯バサミなどはいらなくなりハウス設置の仕上がりも良く見た目に美しい。
（ホ）ハウスの収納する場合も容易にできる。
【図面の簡単な説明】
【０００７】
【図１】  本発明の平面図である。
【図２】  本発明の側面図である。
【図３】  本説明の上面図である。
【図４】  本発明の左側面図である。
【図５】  本発明の右側面図である。
【図６】  本発明の平面図である。
【図７】  本発明の斜視図である。
【図８】  本発明の上面図である。
【発明を実施するための形態】
【０００８】  以下の本発明とする、畝ハウス棒を実施するためのアーチ型ハウスの形態について説明する。
畝ハウス棒（１）にマジックテープ凸部（４）を張る為の凸部（２）を設ける。
ハウス棒の頂点（３）に直径（約３ｍｍ）小さな、ワイヤー通し穴（３）を設ける。
マジックテープ凸部（４）を畝ハウス棒（１）の頂点と側面に施したものである。
図１は、畝ハウスの側面図ある。
図２は、ワイヤーロープ直径（約０．８ｍｍ）をワイヤー通し穴（３）の穴に通し、ワイヤーを（ピーン）と張ったものである。
畝ハウス棒（１）のアーチ用ビニールシート（７）に約８０ｃｍの間隔でマジックテープ凹部（５）を頂点と側面左右に設けるものである（図３）。
本説明は以上の様な構造である。
続いて本説明の受け軸の使い方を説明する。
（イ）畝の長い約３０ｍ以上の畑のことを考え、（図４、図５）は、ワイヤーロープ▲チ    ▼を引っ張ったときに、耐えられる様に（図８）の鋼製パイプで杭を作成し（図６▲    ニ▼）は土の抵抗を強めるための鉄板である。
（ロ）左畝（図４の杭▲イ▼）は、スライド式長穴（図６▲ホ▼）に両ネジのボルトを通    し、固定するものである。
右畝（図５の杭▲ロ▼）はスライド式長穴▲リ▼に穴開けボルトを通し▲ヌ▼リー    ルの固定軸を取り付けナットで仮締めする。
（ハ）図４杭▲イ▼）（図５杭▲ロ▼）を畑の両端に、ハンマーにて地面に打ち込む。
この場合、土質の軟弱、強弱、また、畑の長さによって深さを調整して打ち付ける    。
（ニ）図４、図５に示すように、杭打ちが完了する。
（ホ）あらかじめ先にワイヤーロープ▲チ▼を（図１）のハウス棒（３）に通して置く。
（ヘ）杭▲イ▼のボルトにかけ、ワイヤー止めの金具で止め、ワイヤーを杭▲ロ▼まで引    っ張り穴開けボルト▲リ▼に通す。
つぎに、リール固定軸▲ヌ▼にワイヤーロープ巻き取り後、取り外しのできるリー    ル▲オ▼巻くことによって杭▲イ▼杭〜▲ロ▼までの▲チ▼のワイヤーロープが「ピ    ーン」と張る。
つぎに▲ホ▼長穴で畝の高さを調整する。
張り終われば、ストッパー式のワイヤー止め金具▲ト▼が働き、ワイヤーの張りが    止まるものである。
ワイヤーローブの張りが終われば、リール止め▲ル▼をワンタッチで外し、図７▲    カ▼のように、ワイヤーは、出口約２ｍ程、長めに切断する。
（ト）以上の工程が終われば、アコーデォン式のワイヤーレールに沿ってアーチ型ハウス    棒を杭▲イ▼〜杭▲ロ▼まで引っ張っていくものである。
（チ）以上で設置完了であるが、長い畑の場合、畝のハウス棒の先端にワイヤーをかけ畝    の端からリールにて巻き取れば、約８０ｍ〜１００ｍの先の畝からでも、楽々畝ビニ    ールシートの開閉ができるものである。
図７の▲カ▼の様にあらかじめ、畝の長さを計り、ワイヤーロープを切断して置け    ば一つのリールで、なん畝も施工できる。
（リ）図４、図５に示すように、ワイヤー張りのこの軸は、長い畑用に対応し、制作した    ものであり、短い畑では、ワイヤー止めの穴を開けた、木製の杭を打ち込み、手によ    って、ワイヤーを引っ張り施工することが十分可能である。
【符号の説明】
【０００９】  １  畝ハウス棒
２  凸部
３  ワイヤー通し穴
４  マジックテープ凸（登録商標）
５  マジックテープ凹（登録商標）
６  ワイヤーロープ
７  アーチ用畝ビニールシート
８  スペーサーパイプ
【図１】
2016198079.tif 000003
【図２】
2016198079.tif 000004
【図３】
2016198079.tif 000005
【図４】
2016198079.tif 000006
【図５】
2016198079.tif 000007
【図６】
2016198079.tif 000008
【図７】
2016198079.tif 000009
【図８】
2016198079.tif 000010